【手続補正書】
【提出日】平成17年5月10日(2005.5.10)
【手続補正１】
【補正対象書類名】明細書
【補正対象項目名】特許請求の範囲
【補正方法】変更
【補正の内容】
【特許請求の範囲】
【請求項１】
走査方向に移動しつつ、同一の色のインク滴を吐出するための複数の吐出口を有するインクジェット記録ヘッドにおいて、
前記吐出口として、所定の体積のインク滴を吐出するための複数の第１吐出口と、該第１吐出口よりも小さな体積のインク滴を吐出するための複数の第２吐出口と、を備え、
前記複数の第２吐出口の数は、前記複数の第１吐出口の数よりも多く、
前記各第１吐出口の中心を通って前記走査方向に延在する第１仮想線上に、少なくとも１つの前記第２吐出口の中心が位置することを特徴とするインクジェット記録ヘッド。
【請求項２】
前記複数の第１吐出口が前記走査方向と交差する方向に配列された第１吐出口列と、前記複数の第２吐出口が前記走査方向と交差する方向に配列された第２吐出口列と、を有することを特徴とする請求項１に記載のインクジェット記録ヘッド。
【請求項３】
前記第１仮想線上を含む所定範囲内に位置する複数の前記第２吐出口を１つのグループとし、
前記第１吐出口同士の間に、前記１つのグループをなす複数の第２吐出口が配置されることを特徴とする請求項１に記載のインクジェット記録ヘッド。
【請求項４】
前記第１仮想線上に、前記グループをなす複数の第２吐出口の中心がそれぞれ位置する請求項３に記載のインクジェット記録ヘッド。
【請求項５】
前記走査方向と交差する方向に関して並ぶ前記第１吐出口同士の中間位置を通り、前記走査方向に沿う第２仮想線上に少なくとも１つの前記第２吐出口の中心が位置することを特徴とする請求項１に記載のインクジェット記録ヘッド。
【請求項６】
前記第１仮想線上に位置する複数の前記第２吐出口から吐出されるインク滴の総量は、前記第１仮想線上に位置する前記第１吐出口から吐出されるインク滴の量以下であることを特徴とする請求項１に記載のインクジェット記録ヘッド。
【請求項７】
前記第１仮想線上を含む所定範囲内に位置する複数の前記第２吐出口を１つのグループとし、
該グループを構成する複数の前記第２吐出口から吐出されるインク滴による記録解像度と、前記第１仮想線上に位置する前記第１吐出口から吐出されるインク滴による記録解像度と、は同一であることを特徴とする請求項１に記載のインクジェット記録ヘッド。
【請求項８】
前記第１仮想線上を含む所定範囲内に位置する複数の前記第２吐出口を１つのグループとし、
該グループを構成する複数の第２吐出口は、該第２吐出口のそれぞれから吐出される各インク滴によって被記録媒体上に形成される各小ドットが部分的に重なり合うように配置されることを特徴とする請求項１に記載のインクジェット記録ヘッド。
【請求項９】
前記第１仮想線上を含む所定範囲内に位置する複数の前記第２吐出口を１つのグループとし、
該グループを構成する複数の前記第２吐出口の内、少なくとも１つの第２吐出口の中心位置は、前記第１仮想線上からずれ、かつ該第１仮想線上に配置された前記第２吐出口の中心を通って前記グループの配列方向に延在する第３仮想線上からもずれることを特徴とする請求項１に記載のインクジェット記録ヘッド。
【請求項１０】
前記複数の第１吐出口に連通する複数の第１インク流路と、
前記複数の第２吐出口に連通する複数の第２インク流路と、
各前記第１インク流路内に設けられ、各前記第１吐出口からインク滴を吐出させるための吐出エネルギーを発生する複数の第１吐出エネルギー発生手段と、
各前記第２インク流路内に設けられ、各前記第２吐出口からインク滴を吐出させるための吐出エネルギーを発生する複数の第２吐出エネルギー発生手段と、
を備えたことを特徴とする請求項１に記載のインクジェット記録ヘッド。
【請求項１１】
前記第１仮想線上に位置する複数の前記第２吐出口は、前記第２インク流路の１つに対して共通に連通することを特徴とする請求項１０に記載のインクジェット記録ヘッド。
【請求項１２】
前記第１仮想線上を含む所定範囲内に位置する複数の前記第２吐出口を１つのグループとし、
該グループを構成する複数の前記第２吐出口は、前記第２インク流路の１つに連通することを特徴とする請求項１０に記載のインクジェット記録ヘッド。
【請求項１３】
前記第１吐出エネルギー発生手段及び前記第２吐出エネルギー発生手段は、それぞれ前記第１インク流路及び第２インク流路内のインクに熱エネルギーを付与する電気熱変換体を備えることを特徴とする請求項１０に記載のインクジェット記録ヘッド。
【請求項１４】
請求項１に記載のインクジェット記録ヘッドを用いて、被記録媒体に記録をするインクジェット記録方法であって、
前記第１吐出口から吐出されるインク滴と、前記第２吐出口から吐出されるインク滴と、によって、前記被記録媒体上に異なる大きさのドットを形成することを特徴とするインクジェット記録方法。
【請求項１５】
請求項８に記載のインクジェット記録ヘッドを用いて、被記録媒体に記録をするインクジェット記録方法であって、
前記グループを構成する各第２吐出口から吐出される各インク滴によって前記被記録媒体上に形成される各小ドットを、部分的に重なり合わせて記録を行うことを特徴とするインクジェット記録方法。
【請求項１６】
前記第１吐出口から吐出されるインク滴を用いて大ドットを形成し、
複数の前記第２吐出口から吐出される複数のインク滴を用いて中ドットを形成し、
前記第２吐出口の１つから吐出されるインク滴を用いて小ドットを形成することを特徴とする請求項１５に記載のインクジェット記録方法。
【請求項１７】
前記第１吐出口から吐出されるインク滴を用いて形成する中ドットと、前記グループを構成する複数の第２吐出口から吐出される複数のインク滴を用いて形成する中ドットと、により記録を行うことを特徴とする請求項１５に記載のインクジェット記録方法。
【請求項１８】
請求項１記載のインクジェット記録ヘッドを用いて、被記録媒体に記録するインクジェット記録方法であって、
少なくとも１つの前記第１吐出口から吐出されるインク滴によって被記録媒体に形成される少なくとも１つの大ドットと、複数の前記第２吐出口から吐出される複数のインク滴によって被記録媒体に形成される複数の小ドットと、を前記走査方向に関して交互に配置することにより記録を行うことを特徴とするインクジェット記録方法。
【請求項１９】
前記走査方向と交差する方向に関して、前記少なくとも１つの大ドットと前記複数の小ドットとを交互に配置することにより記録を行うことを特徴とする請求項１８に記載のインクジェット記録方法。
【請求項２０】
請求項１記載のインクジェット記録ヘッドを用いて、被記録媒体に記録をするインクジェット記録装置であって、
前記インクジェット記録ヘッドと前記被記録媒体とを相対移動させる移動手段を備え、
前記第１吐出口から吐出されるインク滴と、前記第２吐出口から吐出されるインク滴と、によって、前記被記録媒体上に異なる大きさのドットを形成することを特徴とするインクジェット記録装置。
【請求項２１】
所定の体積のインク滴を吐出するための複数の第１吐出口を直線上に等間隔に配置した第１の吐出口列と、前記第１吐出口から吐出される液体よりも小さい体積のインク滴を吐出するための複数の第２吐出口を直線上に等間隔に配置した第２の吐出口列と、複数の前記第２吐出口を直線上に等間隔に配置した前記第２の吐出口列とは異なる第３の吐出口列と、を備えるインクジェット記録ヘッドにおいて、
前記第１、第２、第３の各吐出口列における吐出口の間隔は互いに等しく、
前記第１の吐出口列を構成する前記各第１吐出口の中心と、前記第２の吐出口列を構成する前記各第２吐出口の中心と、を結ぶ仮想線は互いに平行であるとともに、
前記第３の吐出口列を構成する前記各第２吐出口の中心は、前記仮想線とから離れていることを特徴とするインクジェット記録ヘッド。
【請求項２２】
前記第３の吐出口列を構成する前記各第２吐出口の中心は、隣接する前記仮想線から等距離にあることを特徴とする請求項２１に記載のインクジェット記録ヘッド。
【手続補正２】
【補正対象書類名】明細書
【補正対象項目名】００１２
【補正方法】変更
【補正の内容】
【００１２】
本発明のインクジェット記録装置は、本発明のインクジェット記録ヘッドを用いて、被記録媒体に記録をするインクジェット記録装置であって、前記インクジェット記録ヘッドと前記被記録媒体とを相対移動させる移動手段を備え、前記第１吐出口から吐出されるインク滴と、前記第２吐出口から吐出されるインク滴と、によって、前記被記録媒体上に異なる大きさのドットを形成することを特徴とする。
本発明のインクジェット記録ヘッドは、所定の体積のインク滴を吐出するための複数の第１吐出口を直線上に等間隔に配置した第１の吐出口列と、前記第１吐出口から吐出される液体よりも小さい体積のインク滴を吐出するための複数の第２吐出口を直線上に等間隔に配置した第２の吐出口列と、複数の前記第２吐出口を直線上に等間隔に配置した前記第２の吐出口列とは異なる第３の吐出口列と、を備えるインクジェット記録ヘッドにおいて、前記第１、第２、第３の各吐出口列における吐出口の間隔は互いに等しく、前記第１の吐出口列を構成する前記各第１吐出口の中心と、前記第２の吐出口列を構成する前記各第２吐出口の中心と、を結ぶ仮想線は互いに平行であるとともに、前記第３の吐出口列を構成する前記各第２吐出口の中心は、前記仮想線とから離れていることを特徴とする。
【手続補正３】
【補正対象書類名】図面
【補正対象項目名】図１８
【補正方法】変更
【補正の内容】
【図１８】
2003127439.tif 000001